(57)【特許請求の範囲】
【請求項１】
取得した音声を電波に変調して発信する盗聴器を検知する盗聴器検知装置であって、
音声が入力される音声入力部と、
前記電波を探索する電波探索部と、
前記電波探索部が受信した前記電波から音声信号を取得する信号取得部と、
前記音声入力部に入力された前記音声の特徴を示す第１特徴信号と、前記信号取得部が取得した前記音声信号から当該音声信号により示される音声の特徴を示す第２特徴信号とを抽出する特徴信号抽出部と、
第１の時刻から第２の時刻までの予め定められた第１の時間において得られる前記第１特徴信号と前記第２特徴信号との差分信号の符号を正に変換した第１の絶対差分信号と、前記第１の時刻とは異なる時刻を起点にして開始される予め定められた第２の時間において得られる前記第１特徴信号と前記第２特徴信号との差分信号の符号を正に変換した第２の絶対差分信号とを算出する差分信号算出部と、
前記第１の絶対差分信号と前記第２の絶対差分信号とを合算した合算信号を算出する合算信号算出部と、
前記合算信号の大きさに基づいて、前記第１特徴信号と前記第２特徴信号との類似性を判断する類似性判断部と
を備える盗聴器検知装置。
【請求項２】
前記合算信号算出部が算出する複数の絶対差分信号を合算した合算信号を、合算に用いた前記絶対差分信号の数で除して得られる平均合算信号を算出する平均合算信号算出部
を更に備え、
前記類似性判断部が、前記平均合算信号の大きさに基づいて前記類似性を判断する請求項１に記載の盗聴器検知装置。
【請求項３】
前記第１特徴信号が、前記音声入力部へ入力された前記音声の音量レベル、予め定められた周波数帯域における音量レベル、音量レベルのプロフィール波形を含む群から選択される少なくとも１つの信号を含み、
前記第２特徴信号が、前記音声信号により示される音声の音量レベル、予め定められた周波数帯域における音量レベル、音量レベルのプロフィール波形を含む群から選択される少なくとも１つの信号を含む請求項１又は２に記載の盗聴器検知装置。
【請求項４】
前記信号取得部が、予め定められた単位時間ごとに前記電波から前記音声信号を継続的に取得する請求項１〜３のいずれか１項に記載の盗聴器検知装置。
【請求項５】
前記類似性判断部の判断結果が、予め定められた期間、継続しているか否かを判断する継続性判断部
を更に備え、
前記類似性判断部が、前記差分信号と前記継続性判断部の判断結果とに基づいて前記類似性を判断する請求項１〜４のいずれか１項に記載の盗聴器検知装置。
【請求項６】
前記差分信号算出部が、前記音声入力部に入力された前記音声の入力時刻と、前記信号取得部が前記音声信号を取得した取得時刻とが一致しない場合、前記入力時刻と前記取得時刻とを一致させ、前記差分信号を算出する請求項１〜５のいずれか１項に記載の盗聴器検知装置。
【請求項７】
前記類似性判断部の判断結果を示す類似性判断情報を格納する情報格納部
を更に備え、
前記類似性判断部が、
前記音声入力部に前記音声が入力されている間、前記類似性を判断すると共に前記類似性判断情報を前記情報格納部に格納し、
前記音声入力部への前記音声の入力が中断した場合、前記類似性の判断を中断し、
前記音声入力部への前記音声の入力が再開した場合、前記情報格納部に格納されている前記類似性判断情報に基づいて、前記類似性の判断を再開する請求項１〜６のいずれか１項に記載の盗聴器検知装置。
【請求項８】
取得した音声を電波に変調して発信する盗聴器を検知する盗聴器検知装置であって、
音声が入力される音声入力部と、
前記電波を探索する電波探索部と、
前記電波探索部が受信した前記電波から音声信号を取得する信号取得部と、
前記音声入力部に入力された前記音声の特徴を示す第１特徴信号と、前記信号取得部が取得した前記音声信号から当該音声信号により示される音声の特徴を示す第２特徴信号とを抽出する特徴信号抽出部と、
前記第１特徴信号と前記第２特徴信号との差分信号を算出する差分信号算出部と、
前記差分信号に基づいて、前記第１特徴信号と前記第２特徴信号との類似性を判断する類似性判断部と、
前記類似性判断部の判断結果を示す類似性判断情報を格納する情報格納部と
を備え、
前記類似性判断部が、
前記音声入力部に前記音声が入力されている間、前記類似性を判断すると共に前記類似性判断情報を前記情報格納部に格納し、
前記音声入力部への前記音声の入力が中断した場合、前記類似性の判断を中断し、
前記音声入力部への前記音声の入力が再開した場合、前記情報格納部に格納されている前記類似性判断情報に基づいて、前記類似性の判断を再開する盗聴器検知装置。
【請求項９】
取得した音声を電波に変調して発信する盗聴器を検知する盗聴器検知システムであって、
周辺の音声が入力される音声入力部と、
前記電波を探索する電波探索部と、
前記電波探索部が受信した前記電波から音声信号を取得する信号取得部と、
前記音声入力部に入力された前記音声の特徴を示す第１特徴信号と、前記信号取得部が取得した前記音声信号から当該音声信号により示される音声の特徴を示す第２特徴信号とを抽出する特徴信号抽出部と、
第１の時刻から第２の時刻までの予め定められた第１の時間において得られる前記第１特徴信号と前記第２特徴信号との差分信号の符号を正に変換した第１の絶対差分信号と、前記第１の時刻とは異なる時刻を起点にして開始される予め定められた第２の時間において得られる前記第１特徴信号と前記第２特徴信号との差分信号の符号を正に変換した第２の絶対差分信号とを算出する差分信号算出部と、
前記第１の絶対差分信号と前記第２の絶対差分信号とを合算した合算信号を算出する合算信号算出部と、
前記合算信号の大きさに基づいて、前記第１特徴信号と前記第２特徴信号との類似性を判断する類似性判断部と、
前記類似性判断部の判断結果を取得する判断結果取得部と、
前記判断結果が、前記第１特徴信号と前記第２特徴信号とが類似することを示す情報である場合、前記盗聴器の存在を通報する通報部と
を備える盗聴器検知システム。
【請求項１０】
取得した音声を電波に変調して発信する盗聴器を検知する盗聴器検知方法であって、
音声入力部に音声が入力される音声入力段階と、
前記電波を探索する電波探索段階と、
前記電波探索段階において受信された前記電波から音声信号を取得する信号取得段階と、
前記音声入力段階において入力された前記音声の特徴を示す第１特徴信号と、前記信号取得段階において取得された前記音声信号から当該音声信号により示される音声の特徴を示す第２特徴信号とを抽出する特徴信号抽出段階と、
第１の時刻から第２の時刻までの予め定められた第１の時間において得られる前記第１特徴信号と前記第２特徴信号との差分信号の符号を正に変換した第１の絶対差分信号と、前記第１の時刻とは異なる時刻を起点にして開始される予め定められた第２の時間において得られる前記第１特徴信号と前記第２特徴信号との差分信号の符号を正に変換した第２の絶対差分信号とを算出する差分信号算出段階と、
前記第１の絶対差分信号と前記第２の絶対差分信号とを合算した合算信号を算出する合算信号算出段階と、
前記合算信号の大きさに基づいて、前記第１特徴信号と前記第２特徴信号との類似性を判断する類似性判断段階と
を備える盗聴器検知方法。
【請求項１１】
取得した音声を電波に変調して発信する盗聴器を検知する盗聴器検知プログラムであって、
コンピューターに、
音声入力部に音声を入力する音声入力機能と、
前記電波を探索する電波探索機能と、
前記電波探索機能において受信された前記電波から音声信号を取得する信号取得機能と、
前記音声入力機能において入力された前記音声の特徴を示す第１特徴信号と、前記信号取得機能において取得された前記音声信号から当該音声信号により示される音声の特徴を示す第２特徴信号とを抽出する特徴信号抽出機能と、
第１の時刻から第２の時刻までの予め定められた第１の時間において得られる前記第１特徴信号と前記第２特徴信号との差分信号の符号を正に変換した第１の絶対差分信号と、前記第１の時刻とは異なる時刻を起点にして開始される予め定められた第２の時間において得られる前記第１特徴信号と前記第２特徴信号との差分信号の符号を正に変換した第２の絶対差分信号とを算出する差分信号算出機能と、
前記第１の絶対差分信号と前記第２の絶対差分信号とを合算した合算信号を算出する合算信号算出機能と、
前記合算信号の大きさに基づいて、前記第１特徴信号と前記第２特徴信号との類似性を判断する類似性判断機能と
を実現させる盗聴器検知プログラム。
【発明の詳細な説明】
【技術分野】
【０００１】
本発明は、盗聴器検知装置、盗聴器検知システム、盗聴器検知方法、及び盗聴器検知プログラムに関する。特に、本発明は、周辺に存在する音声を利用して盗聴器を検知する盗聴器検知装置、盗聴器検知システム、盗聴器検知方法、及び盗聴器検知プログラムに関する。
【背景技術】
【０００２】
従来、電話の盗聴を防止するための盗聴器発見装置であって、盗聴器からの発信信号を受信して受信信号を出力するアンテナ部と、アンテナ部からの受信信号を増幅する広帯域増幅器と、広帯域増幅器から出力される増幅受信信号を音声信号に復調して出力する復調部と、加入電話機からの音声信号を入力し必要に応じて増幅・減衰して出力する入力部と、入力部からの音声信号と復調音声信号との相互相関関数値を算出する相互相関関数算出部と、相互相関関数算出部で算出された相互相関関数値と所定値とを比較して相関性の高さが十分か否かを判定する検出部と、検出部の判定結果に基づいて盗聴器の有無を知らせる視聴覚表示部とを備える電話の盗聴の盗聴器発見装置が知られている（例えば、特許文献１参照。）。特許文献１に記載の電話の盗聴の盗聴器発見装置によれば、盗聴器から発信される電波を用いて通話中の電話を盗聴する盗聴器を発見できる。
【先行技術文献】
【特許文献】
【０００３】
【特許文献１】特開平９−２７５４４６号公報
【発明の概要】
【発明が解決しようとする課題】
【０００４】
しかし、特許文献１に記載されている盗聴器発見装置においては、通話中の電話を盗聴している盗聴器しか発見することができないのみならず、相互相関関数値と所定値とを比較することを要するので、事前に適切な所定値を算出して設定しない限り、盗聴器を正確に発見することはできない。また、特許文献１に記載されている盗聴器発見装置においては、相互相関関数値を算出することを要するので、長時間継続的に盗聴器の発見動作を実行すると盗聴器発見装置に大きな負荷がかかる場合がある。
【０００５】
したがって、本発明の目的は、周辺に存在する音声を利用することで容易に自動的に盗聴器を発見することができる盗聴器検知装置、盗聴器検知システム、盗聴器検知方法、及び盗聴器検知プログラムを提供することにある。
【課題を解決するための手段】
【０００６】
本発明は、上記目的を達成するため、取得した音声を電波に変調して発信する盗聴器を検知する盗聴器検知装置であって、音声が入力される音声入力部と、電波を探索する電波探索部と、電波探索部が受信した電波から音声信号を取得する信号取得部と、音声入力部に入力された音声の特徴を示す第１特徴信号と、信号取得部が取得した音声信号から当該音声信号により示される音声の特徴を示す第２特徴信号とを抽出する特徴信号抽出部と、第１の時刻から第２の時刻までの予め定められた第１の時間において得られる第１特徴信号と第２特徴信号との差分信号の符号を正に変換した第１の絶対差分信号と、第１の時刻とは異なる時刻を起点にして開始される予め定められた第２の時間において得られる第１特徴信号と第２特徴信号との差分信号の符号を正に変換した第２の絶対差分信号とを算出する差分信号算出部と、第１の絶対差分信号と第２の絶対差分信号とを合算した合算信号を算出する合算信号算出部と、合算信号の大きさに基づいて、第１特徴信号と第２特徴信号との類似性を判断する類似性判断部とを備える盗聴器検知装置が提供される。
【０００９】
また、上記盗聴器検知装置において、合算信号算出部が算出する複数の絶対差分信号を合算した合算信号を、合算に用いた絶対差分信号の数で除して得られる平均合算信号を算出する平均合算信号算出部を更に備え、類似性判断部が、平均合算信号の大きさに基づいて類似性を判断することもできる。
【００１０】
また、上記盗聴器検知装置において、第１特徴信号が、音声入力部へ入力された音声の音量レベル、予め定められた周波数帯域における音量レベル、音量レベルのプロフィール波形を含む群から選択される少なくとも１つの信号を含み、第２特徴信号が、音声信号により示される音声の音量レベル、予め定められた周波数帯域における音量レベル、音量レベルのプロフィール波形を含む群から選択される少なくとも１つの信号を含んでいてもよい。
【００１１】
また、上記盗聴器検知装置において、信号取得部が、予め定められた単位時間ごとに電波から音声信号を継続的に取得することもできる。
【００１２】
また、上記盗聴器検知装置において、類似性判断部の判断結果が、予め定められた期間、継続しているか否かを判断する継続性判断部を更に備え、類似性判断部が、差分信号と継続性判断部の判断結果とに基づいて類似性を判断することもできる。
【００１３】
また、上記盗聴器検知装置において、差分信号算出部が、音声入力部に入力された音声の入力時刻と、信号取得部が音声信号を取得した取得時刻とが一致しない場合、入力時刻と取得時刻とを一致させ、差分信号を算出することもできる。
【００１４】
また、上記盗聴器検知装置において、類似性判断部の判断結果を示す類似性判断情報を格納する情報格納部を更に備え、類似性判断部が、音声入力部に音声が入力されている間、類似性を判断すると共に類似性判断情報を情報格納部に格納し、音声入力部への音声の入力が中断した場合、類似性の判断を中断し、音声入力部への音声の入力が再開した場合、情報格納部に格納されている類似性判断情報に基づいて、類似性の判断を再開することもできる。
【００１５】
また、本発明は上記目的を達成するため、取得した音声を電波に変調して発信する盗聴器を検知する盗聴器検知装置であって、音声が入力される音声入力部と、電波を探索する電波探索部と、電波探索部が受信した電波から音声信号を取得する信号取得部と、音声入力部に入力された音声の特徴を示す第１特徴信号と、信号取得部が取得した音声信号から当該音声信号により示される音声の特徴を示す第２特徴信号とを抽出する特徴信号抽出部と、第１特徴信号と第２特徴信号との差分信号を算出する差分信号算出部と、差分信号に基づいて、第１特徴信号と第２特徴信号との類似性を判断する類似性判断部と、類似性判断部の判断結果を示す類似性判断情報を格納する情報格納部とを備え、類似性判断部が、音声入力部に音声が入力されている間、類似性を判断すると共に類似性判断情報を情報格納部に格納し、音声入力部への音声の入力が中断した場合、類似性の判断を中断し、音声入力部への音声の入力が再開した場合、情報格納部に格納されている類似性判断情報に基づいて、類似性の判断を再開する盗聴器検知装置が提供される。
また、本発明は上記目的を達成するため、取得した音声を電波に変調して発信する盗聴器を検知する盗聴器検知システムであって、周辺の音声が入力される音声入力部と、電波を探索する電波探索部と、電波探索部が受信した電波から音声信号を取得する信号取得部と、音声入力部に入力された音声の特徴を示す第１特徴信号と、信号取得部が取得した音声信号から当該音声信号により示される音声の特徴を示す第２特徴信号とを抽出する特徴信号抽出部と、第１の時刻から第２の時刻までの予め定められた第１の時間において得られる第１特徴信号と第２特徴信号との差分信号の符号を正に変換した第１の絶対差分信号と、第１の時刻とは異なる時刻を起点にして開始される予め定められた第２の時間において得られる第１特徴信号と第２特徴信号との差分信号の符号を正に変換した第２の絶対差分信号とを算出する差分信号算出部と、第１の絶対差分信号と第２の絶対差分信号とを合算した合算信号を算出する合算信号算出部と、合算信号の大きさに基づいて、第１特徴信号と第２特徴信号との類似性を判断する類似性判断部と、類似性判断部の判断結果を取得する判断結果取得部と、判断結果が、第１特徴信号と第２特徴信号とが類似することを示す情報である場合、盗聴器の存在を通報する通報部とを備える盗聴器検知システムが提供される。
【００１６】
また、本発明は上記目的を達成するため、取得した音声を電波に変調して発信する盗聴器を検知する盗聴器検知方法であって、音声入力部に音声が入力される音声入力段階と、電波を探索する電波探索段階と、電波探索段階において受信された電波から音声信号を取得する信号取得段階と、音声入力段階において入力された音声の特徴を示す第１特徴信号と、信号取得段階において取得された音声信号から当該音声信号により示される音声の特徴を示す第２特徴信号とを抽出する特徴信号抽出段階と、第１の時刻から第２の時刻までの予め定められた第１の時間において得られる第１特徴信号と第２特徴信号との差分信号の符号を正に変換した第１の絶対差分信号と、第１の時刻とは異なる時刻を起点にして開始される予め定められた第２の時間において得られる第１特徴信号と第２特徴信号との差分信号の符号を正に変換した第２の絶対差分信号とを算出する差分信号算出段階と、第１の絶対差分信号と第２の絶対差分信号とを合算した合算信号を算出する合算信号算出段階と、合算信号の大きさに基づいて、第１特徴信号と第２特徴信号との類似性を判断する類似性判断段階とを備える盗聴器検知方法が提供される。
【００１７】
また、本発明は上記目的を達成するため、取得した音声を電波に変調して発信する盗聴器を検知する盗聴器検知プログラムであって、コンピューターに、音声入力部に音声を入力する音声入力機能と、電波を探索する電波探索機能と、電波探索機能において受信された電波から音声信号を取得する信号取得機能と、音声入力機能において入力された音声の特徴を示す第１特徴信号と、信号取得機能において取得された音声信号から当該音声信号により示される音声の特徴を示す第２特徴信号とを抽出する特徴信号抽出機能と、第１の時刻から第２の時刻までの予め定められた第１の時間において得られる第１特徴信号と第２特徴信号との差分信号の符号を正に変換した第１の絶対差分信号と、第１の時刻とは異なる時刻を起点にして開始される予め定められた第２の時間において得られる第１特徴信号と第２特徴信号との差分信号の符号を正に変換した第２の絶対差分信号とを算出する差分信号算出機能と、第１の絶対差分信号と第２の絶対差分信号とを合算した合算信号を算出する合算信号算出機能と、合算信号の大きさに基づいて、第１特徴信号と第２特徴信号との類似性を判断する類似性判断機能とを実現させる盗聴器検知プログラムが提供される。
【発明の効果】
【００１８】
本発明に係る盗聴器検知装置、盗聴器検知システム、盗聴器検知方法、及び盗聴器検知プログラムによれば、周辺に存在する音声を利用することで容易に自動的に盗聴器を発見することができる盗聴器検知装置、盗聴器検知システム、盗聴器検知方法、及び盗聴器検知プログラムを提供できる。
【図面の簡単な説明】
【００１９】
【図１】本発明の実施の形態に係る盗聴器検知システムの概要図である。
【図２】本発明の実施の形態に係る盗聴器検知装置の機能構成ブロック図である。
【図３】本発明の実施の形態に係るサーバーの機能構成ブロック図である。
【図４】（ａ）から（ｃ）はそれぞれ、本発明の実施の形態に係る差分信号算出部において差分信号を算出する方法示す模式図である。
【図５】本発明の実施の形態に係る合算信号算出部による合算信号の算出、及び平均合算信号算出部による平均合算信号の算出の方法示す模式図である。
【図６】本発明の実施の形態に係る盗聴器検知システムの処理のフロー図である。
【図７】本発明の実施の形態に係る盗聴器検知システムのハードウェア構成図である。
【発明を実施するための形態】
【００２０】
［実施の形態］
図１は、本発明の実施の形態に係る盗聴器検知システムの概要を示す。
【００２１】
（盗聴器検知システム１の概要）
本実施の形態に係る盗聴器検知システム１は、周辺で発生した音声を取得すると共に電波９００を受信する。盗聴器検知システム１は、取得した音声の特徴を含む音声信号が受信した電波９００に変調されているか否かに基づいて、盗聴器７が検知領域８に設置されているか否かをリアルタイムで自動的に検知、及び通報するシステムである。ここで、盗聴器７は、例えば、外部の音声を取得する音声取得部と、音声取得部が取得した音声を音声信号に変換する変換部と、変換部が変換した音声信号を予め定められた周波数帯域の電波に変調して外部の受信器に向けて発信する電波発信部とを有する。
【００２２】
具体的に、本実施の形態に係る盗聴器検知システム１が備える盗聴器検知装置２は、盗聴器７が設置されている可能性のある領域である検知領域８において自然に発生する音声（例えば、生活音）を取得する。盗聴器検知装置２は、当該音声の特徴を示す第１特徴信号を抽出する。また、盗聴器検知装置２は、予め定められた周波数帯域の電波を受信した場合、当該電波に音声信号が含まれているか否か判断する。そして、盗聴器検知装置２は、当該電波に音声信号が含まれている場合、当該音声信号によって示される音声の特徴を示す第２特徴信号を抽出する。次に、盗聴器検知装置２は、第１特徴信号と第２特徴信号との差分である差分信号に基づいて、第１特徴信号と第２特徴信号とが類似するか否かを判断する。そして、盗聴器検知装置２は、第１特徴信号と第２特徴信号との類似性に基づいて、検知領域８に盗聴器７が設置されているか否かを判断する。
【００２３】
盗聴器検知装置２は、検知領域８に盗聴器７が設置されていると判断した場合、通信網６を介して判断結果を示す情報をサーバー３に送信する。なお、盗聴器検知装置２は、検知領域８に盗聴器７が設置されていると判断した場合、盗聴器検知装置２自体から外部に警報を発することもできる。サーバー３は、判断結果を示す情報を取得した場合、通信網６を介して予め定められたユーザー端末４及びユーザー端末５に当該情報を通報する。なお、サーバー３は、通信網６を介して他の複数のユーザー端末に判断結果を示す情報を通報することもできる。
【００２４】
ここで、ユーザー端末４及びユーザー端末５等は、例えば、検知領域８を管理するユーザーが保有する通信端末若しくは情報端末である。当該ユーザーには、検知領域８を管理する個人、民間事業者、市区町村等の行政組織、国の官庁等が含まれる。ユーザー端末から盗聴器７が設置されていることを示す判断結果を取得したユーザーは、例えば、無線装置の取扱いについて資格を有する担当者を検知領域８に派遣することで、盗聴器７を取り外すことができる。
【００２５】
なお、本実施の形態においてサーバー３は、１つ以上のサーバーであって、複数のサーバーを含んで構成することもできる。例えば、サーバー３は、メールサーバー、又はファイルサーバー等のデジタル情報を格納するサーバーを含む。また、通信網６は、携帯電話網、及び／又はインターネット等の通信網である。通信網６は、有線ＬＡＮ及び無線ＬＡＮ等の通信ネットワークを含むこともできる。更に、ユーザー端末４及びユーザー端末５は、例えば、パーソナルコンピュータ、ノートパソコン、タブレットＰＣ、スマートフォン、又は携帯電話等を含む。
【００２６】
図２は、本発明の実施の形態に係る盗聴器検知装置の機能構成の一例を示す。また、図３は、本発明の実施の形態に係るサーバーの機能構成の一例を示す。
【００２７】
本実施の形態に係る盗聴器検知システム１は、検知領域８において発生する音声の音声信号を変調した電波を外部に放射する盗聴器７を検知する盗聴器検知装置２と、盗聴器検知装置２によって盗聴器７が検知されたことを示す情報を受け取り、ユーザー及び／又はユーザー端末に盗聴器７が検知されたことを通報するサーバー３とを備える。なお、盗聴器検知装置２は、サーバー３の一部、又はすべての機能及び構成を有することができる。また、サーバー３は、盗聴器検知装置２の一部、又はすべての機能及び構成を有してもよい。
【００２８】
（盗聴器検知装置２の構成の詳細）
取得した音声を電波に変調して発信する盗聴器７を検知する盗聴器検知装置２は、音声が入力される音声入力部１０と、電波を探索する電波探索部１２と、電波から音声信号を取得する信号取得部１４と、音声の特徴を示す特徴信号を抽出する特徴信号抽出部１６と、第１特徴信号と第２特徴信号との差分信号を算出する差分信号算出部１８と、差分信号に基づいて第１特徴信号と第２特徴信号との類似性を判断する類似性判断部２０と、類似性判断部２０の判断結果を出力する出力部２８とを備える。
【００２９】
また、盗聴器検知装置２は、複数の差分信号それぞれの符号を正に変換した複数の絶対差分信号を合算する合算信号算出部２２と、絶対差分信号の平均値を算出する平均合算信号算出部２４と、類似性判断部２０の判断結果が所定期間、継続しているか否か判断する継続性判断部２６と、類似性判断部２０の判断結果を格納する情報格納部３０と、判断結果を外部に送信する送信部３２とを更に備える。
【００３０】
（音声入力部１０）
音声入力部１０には、盗聴器検知装置２の周辺で発生する音声が入力される。音声入力部１０は、例えば、マイクロフォンである。また、盗聴器検知装置２の周辺で発生する音声とは、盗聴器検知装置２の周辺におけるユーザーの話声、生活音等のリアルタイムで発生する音声が含まれる。盗聴器検知装置２は、単数の音声入力部１０、若しくは複数の音声入力部１０を有する。音声入力部１０は、入力された音声の音声信号を特徴信号抽出部１６に供給する。また、音声入力部１０は、音声が入力されている間、音声が入力されていることを示す情報を類似性判断部２０に供給する。なお、音声入力部１０は、音声が入力された時刻（以下、「入力時刻」と表す）に対応づけて、入力された音声の音声信号を特徴信号抽出部１６に供給することもできる。また、音声入力部１０は、継続的、若しくは断続的に外部の音声の入力を受け付ける。
【００３１】
（電波探索部１２）
電波探索部１２は、予め定められた周波数帯域の電波を探索する。電波探索部１２は、継続的、断続的、若しくは外部からの探索指示に応じて電波を探索する。具体的に、電波探索部１２は、盗聴器７が使用すると考えられる複数の予め定められた周波数帯域の電波を探索する。電波探索部１２は、予め定められた周波数帯域で電波を探知した場合、探知した電波を信号取得部１４に供給する。また、電波探索部１２は、予め定められた時間、電波の探索を継続した後に予め定められた周波数帯域で電波を受信しない場合、電波を受信しなかった旨を示す情報を出力部２８に供給することもできる。
【００３２】
（信号取得部１４）
信号取得部１４は、電波探索部１２が電波を探知した場合、探知された電波に変調されている音声信号を取得する。すなわち、信号取得部１４は、当該電波に変調されている音声信号を復調する。信号取得部１４は、復調した音声信号を特徴信号抽出部１６に供給する。
【００３３】
なお、信号取得部１４は、電波探索部１２の探索に応じて音声信号を取得することができる。すなわち、電波探索部１２が継続的、断続的、若しくは外部からの探索指示に応じて電波を探索する場合、信号取得部１４も継続的、断続的、若しくは当該探索指示が出されている間、音声信号を取得する。また、電波に音声信号が変調されていない場合、信号取得部１４は、音声信号が当該電波に変調されていないことを示す情報を出力部２８に供給することもできる。なお、信号取得部１４は、電波を探知して音声信号を取得した時刻（以下、「取得時刻」と表す）に対応づけて音声信号を取得することもできる。
【００３４】
（特徴信号抽出部１６）
特徴信号抽出部１６は、音声入力部１０に入力された音声の音声信号、及び信号取得部１４が取得した音声信号から、音声信号の特徴を示す特徴信号を抽出する。特徴信号抽出部１６は、音声入力部１０及び信号取得部１４の動作に応じ、特徴信号を抽出できる。すなわち、特徴信号抽出部１６は、継続的、断続的、若しくは外部からの探索指示が存在している間、特徴信号を抽出する。具体的に、特徴信号抽出部１６は、音声入力部１０に入力された音声の特徴を示す第１特徴信号と、信号取得部１４が取得した音声信号から当該音声信号により示される音声の特徴を示す第２特徴信号とを抽出する。
【００３５】
特徴信号は、音声信号から抽出される信号であって、音声信号により示される音声の特徴を示す信号である。具体的に、第１特徴信号は、音声入力部１０へ入力された音声の音量レベル、予め定められた周波数帯域における音量レベル、音量レベルのプロフィール波形（つまり、時系列に沿った音量レベルの変化を示す波形）を含む群から選択される少なくとも１つの信号を含む。また、第１特徴信号は、音声入力部１０へ入力された音声の音量レベルと予め定められた周波数帯域における音量レベルと音量レベルのプロフィール波形との全てを含む信号であってもよい。また、第２特徴信号は、信号取得部１４が取得した音声信号により示される音声の音量レベル、予め定められた周波数帯域における音量レベル、音量レベルのプロフィール波形を含む群から選択される少なくとも１つの信号を含む。また、第２特徴信号は、音声信号により示される音声の音量レベルと予め定められた周波数帯域における音量レベルと音量レベルのプロフィール波形との全てを含む信号であってもよい。一例として、第１特徴信号は、音声入力部１０へ入力された音声の音量レベル、４００Ｈｚ帯域の音量レベル、１ＫＨｚ帯域の音量レベル、及び２ＫＨｚ帯域の音量レベルである。同様に、第２特徴信号は、信号取得部１４が取得した音声信号により示される音声の音量レベル、４００Ｈｚ帯域の音量レベル、１ＫＨｚ帯域の音量レベル、及び２ＫＨｚ帯域の音量レベルである。特徴信号抽出部１６は、抽出した第１特徴信号と第２特徴信号とを差分信号算出部１８に供給する。なお、特徴信号抽出部１６は、第１特徴信号に入力時刻を示す情報を対応づけると共に、第２特徴信号に取得時刻を示す情報を対応づけることもできる。
【００３６】
なお、音声入力部１０へ入力された音声の音量レベル、音声信号により示される音声の音量レベルは、例えば、音のアクセントを示す。一例として、音声入力部１０に入力された音声が人間の声である場合、当該声のアクセントを示す情報、及び語彙の切れ目を示す情報が、音量レベル及び音声信号により示される音声の特徴信号に含まれる。また、音声入力部１０に入力される音声が音楽である場合、強弱の規則性を有するリズムを示す情報が音声の特徴信号に含まれる。更に、予め定められた周波数帯域における音量レベルは、複数の周波数帯域の音量レベルを含むことができる。これにより、特徴信号は、音声入力部１０に入力される音声が人間の声である場合、男女別の音程を示す信号、声の個人差を示す信号、及び帯域ごとに複数の音量レベルが分布していることを示す情報を含むことができる。また、音声入力部１０に入力される音声が音楽である場合、当該音楽のメロディーの変化が、複数の周波数帯域それぞれの音量レベルの時間変化に対応するので、当該音声の特徴信号は、係る時間変化を示す情報を含むことができる。また、プロフィール波形とは、音量レベル、又は予め決められた複数の周波数帯域それぞれにおける音量レベルの予め定められた時間軸に沿って変化する推移を示す。
【００３７】
（差分信号算出部１８）
差分信号算出部１８は、特徴信号抽出部１６から受け取った第１特徴信号と第２特徴信号との差分信号を偏差信号として算出する。差分信号算出部１８は、継続的、断続的、若しくは外部からの探索指示が存在している間、差分信号を算出する。一例として、第１特徴信号が、音声入力部１０に入力された音声の音量レベル（以下、「第１音量レベル」と表す）の時系列変化であり、第２特徴信号が、信号取得部１４において取得された音声信号が示す音声の音量レベル（以下、「第２音量レベル」と表す）の時系列変化である場合、差分信号算出部１８は、時系列に沿って第１音量レベルと第２音量レベルとの差分を算出することで、差分信号を算出する。また、差分信号算出部１８は、予め定められた単位時間ごとに差分信号を算出できる。ここで「予め定められた単位時間」とは、意味を有する最小の言語単位である形態素を発音した場合に、当該発音が継続する時間から決定される時間である。一例として、予め定められた単位時間は、数ミリ秒以上数百ミリ秒以下程度の時間に設定される。更に、差分信号算出部１８は、算出した差分信号の符号を正に変換した絶対差分信号を算出することもできる。
【００３８】
ここで、盗聴器検知装置２においては、相互相関関数を用いずに第１特徴信号と第２特徴信号との類似性を判断するので、音声の音速に基づいて生じる音声信号の遅れを考慮することを要する場合がある。そこで、差分信号算出部１８は、音声入力部１０に入力された音声の入力時刻と、信号取得部１４が音声信号を取得した取得時刻とが一致しない場合、入力時刻と取得時刻とを一致させ、差分信号を算出することもできる。すなわち、差分信号算出部１８は、第１特徴信号に対応づけられている入力時刻を示す情報と第２特徴信号に対応づけられている取得時刻を示す情報とを比較する。そして、差分信号算出部１８は、入力時刻と取得時刻とが異なる場合、第１特徴信号若しくは第２特徴信号のいずれかの信号の始点を他方の信号の始点に一致させて差分信号を算出することができる。差分信号算出部１８は、算出した差分信号若しくは絶対差分信号を類似性判断部２０に供給する。また、差分信号算出部１８は、算出した絶対差分信号を合算信号算出部２２に供給する。
【００３９】
なお、差分信号算出部１８は、第１特徴信号又は第２特徴信号により示される特徴に急激な変化が含まれる場合、当該急激な変化が発生した時点を基準にして第１特徴信号又は第２特徴信号の時間軸をシフトさせることもできる。例えば、第１特徴信号及び第２特徴信号が音量レベルのプロファイル波形である場合であって、第１特徴信号に急激な音量レベルの変化が含まれる場合を想定する。この場合、第１特徴信号は音声入力部１０に入力された音声に基づいて抽出され、第２特徴信号は電波探索部１２が検知した電波に含まれる音声信号に基づいて抽出されるので、第１特徴信号における急激な音量レベルの変化が発生した時刻と、第２特徴信号における急激な音量レベルの変化が発生した時刻とは、厳密には音速に応じて差異が生じる。したがって、差分信号算出部１８は、第１特徴信号における急激な音量レベルの変化が発生した時刻を起点にして、第２特徴信号の時間軸を第１特徴信号の時間軸に合わせる方向にシフトさせる。これにより、差分信号算出部１８は、音速に応じて生じた差異に関わらず、差分信号を算出できる。
【００４０】
（類似性判断部２０）
類似性判断部２０は、差分信号算出部１８が算出した差分信号に基づいて、第１特徴信号と第２特徴信号との類似性を判断する。例えば、類似性判断部２０は、第１特徴信号及び第２特徴信号が音量レベルのプロフィール波形である場合には、差分信号の大きさが予め定められた閾値以下である場合に第１特徴信号と第２特徴信号とが同一若しくは類似すると判断する。一方、類似性判断部２０は、差分信号の大きさが予め定められた閾値を超える場合、第１特徴信号と第２特徴信号が類似しないと判断する。
【００４１】
また、類似性判断部２０は、絶対差分信号に基づいて第１特徴信号と第２特徴信号との類似性を判断することもできる。例えば、類似性判断部２０は、絶対差分信号の大きさが予め定められた閾値以下の場合に第１特徴信号と第２特徴信号とが同一若しくは類似すると判断する。そして、類似性判断部２０は、絶対差分信号の大きさが予め定められた閾値を超える場合、第１特徴信号と第２特徴信号が類似しないと判断する。類似性判断部２０は、判断結果を示す情報である判断結果情報を継続性判断部２６、出力部２８、及び／又は情報格納部３０に供給する。
【００４２】
（合算信号算出部２２）
まず、差分信号算出部１８は、予め定められた単位時間ごとに絶対差分信号を時系列に沿って算出する。すなわち、差分信号算出部１８は、時系列に沿って複数の絶対差分信号を継続的に算出する。そして、合算信号算出部２２は、差分信号算出部１８が算出した複数の絶対差分信号を合算して、合算信号を算出する。具体的に、合算信号算出部２２は、予め定められた第１の時間（つまり、第１の時刻から第１の時刻後の第２の時刻までの時間）において得られる第１の絶対差分信号と、第１の時間とは異なる時刻を起点にして開始される予め定められた第２の時間において得られる第２の絶対差分信号とを合算した合算信号を算出する。つまり、合算信号算出部２２は、第ｎの時間において得られる第ｎの絶対差分信号と、第ｎ＋１の時間において得られる第ｎ＋１の絶対差分信号とを合算する（ただし、ｎは１以上の整数である。）。なお、合算信号算出部２２は、第ｎの絶対差分信号から第ｎ＋ｍの絶対差分信号までを合算した合算信号を算出することもできる（ただし、ｎ、ｍは１以上の整数であって、ｎ≦ｍである。）。
【００４３】
合算信号算出部２２は、算出した合算信号を類似性判断部２０及び平均合算信号算出部２４に供給する。類似性判断部２０は、合算信号の大きさに基づいて類似性を判断する。例えば、類似性判断部２０は、合算信号が予め定められた閾値を超える場合に第１特徴信号と第２特徴信号が類似しないと判断すると共に、合算信号が当該閾値以下の場合に第１特徴信号と第２特徴信号が類似、若しくは一致すると判断する。したがって、合算信号算出部２２が絶対差分信号を合算するので、単に複数の差分信号を合算した場合であって、差分信号の符号が互いに異なる場合に発生し得る差分信号の打ち消し合いを防止できる。
【００４４】
（平均合算信号算出部２４）
平均合算信号算出部２４は、合算信号算出部２２が算出する複数の絶対差分信号を合算した合算信号を、当該合算信号の合算に用いた絶対差分信号の数で除して得られる平均合算信号を算出する。例えば、合算信号算出部２２が第１の絶対差分信号と第２の絶対差分信号との合算により合算信号を算出した場合、平均合算信号算出部２４は、当該合算信号を絶対差分信号の数である「２」で除することにより平均合算信号を算出する。すなわち、平均合算信号算出部２４は、ｘ個の絶対差分信号を合算した合算信号を「ｘ」で除すことにより、平均合算信号として合算信号の移動平均を継続的に算出する（ただし、ｘは１以上の整数である。）。
【００４５】
平均合算信号算出部２４は、算出した平均合算信号を類似性判断部２０に供給する。類似性判断部２０は、平均合算信号の大きさに基づいて類似性を判断する。例えば、類似性判断部２０は、平均合算信号の大きさが予め定められた閾値以下の場合に第１特徴信号と第２特徴信号とが同一若しくは類似すると判断する。そして、類似性判断部２０は、平均合算信号の大きさが予め定められた閾値を超える場合、第１特徴信号と第２特徴信号が類似しないと判断する。
【００４６】
（継続性判断部２６）
継続性判断部２６は、予め定められた期間、類似性判断部２０の判断結果が実質的に同一の判断結果として継続しているか否かを判断する。すなわち、第１特徴信号と第２特徴信号とが類似することを示す情報を第１の判断結果情報とし、第１特徴信号と第２特徴信号とが類似しないことを示す情報を第２の判断結果情報とした場合、継続性判断部２６は、予め定められた期間、継続して第１の判断結果情報を取得し続けた場合に、第１の判断結果情報が継続していることを示す情報を類似性判断部２０に供給する。一方、継続性判断部２６は、予め定められた期間、継続して第２の判断結果情報を取得し続けた場合、及び予め定められた期間内において第１の判断結果情報と第２の判断結果情報とが混在した場合に、第１の判断結果情報が継続していないことを示す情報を類似性判断部２０に供給する。
【００４７】
類似性判断部２０は、差分信号若しくは絶対差分信号又は合算信号と、継続性判断部２６の判断結果とに基づいて、第１特徴信号と第２特徴信号との類似性を判断する。具体的に、類似性判断部２０は、継続性判断部２６から第１の判断結果情報が継続していることを示す情報を受け取った場合に、第１特徴信号と第２特徴信号とが類似すると判断する。一方、類似性判断部２０は、第１の判断結果情報が継続していないことを示す情報を継続性判断部２６から受け取った場合には、第１特徴信号と第２特徴信号とが類似しないと判断する。これにより、類似性判断部２０は、第１特徴信号と第２特徴信号とが予め定められた期間、類似する場合に第１特徴信号と第２特徴信号とが類似していると判断できるので、予め定められた期間に満たない時間で偶発的に第１特徴信号と第２特徴信号とが類似した場合に、盗聴器７を誤検知することを防止できる。
【００４８】
（出力部２８）
出力部２８は、類似性判断部２０の判断結果情報を出力する。また、出力部２８は、電波探索部１２から電波を受信しなかった旨を示す情報（以下、「電波不受信情報」と表す）を受け取った場合、電波不受信情報を出力することもできる。更に、出力部２８は、信号取得部１４から音声信号が電波に変調されていないことを示す情報（以下、「音声信号不存在情報」と表す）を受け取った場合、音声信号不存在情報を出力することもできる。
【００４９】
また、出力部２８は、予め定められた音を警報音として発する機能を有することもできる。例えば、出力部２８は、ユーザーに注意を喚起する警報音を発することができる。一例として、出力部２８は、類似性判断部２０から第１特徴信号と第２特徴信号とが類似することを示す判断結果情報を受け取った場合、警報音を発する。
【００５０】
また、出力部２８は、それぞれ異なる色を発する複数のランプ部を有することもできる。出力部２８は、類似性判断部２０から第１特徴信号と第２特徴信号とが類似することを示す判断結果情報を受け取った場合、第１の色を発するランプ部を発光させる。一方、出力部２８は、第１特徴信号と第２特徴信号とが類似しないことを示す判断結果情報を受け取った場合、第１の色とは異なる色の第２の色を発するランプ部を発光させる。同様にして出力部２８は、電波を受信しなかった旨を示す情報を受け取った場合、第１の色及び第２の色とは異なる色の第３の色を発するランプ部を発光させることもできる。出力部２８は判断結果情報を送信部３２に供給する。
【００５１】
（情報格納部３０）
情報格納部３０は、類似性判断部２０の判断結果を示す類似性判断情報を格納する。情報格納部３０は、類似性判断部２０が判断結果を出力した時刻に対応づけて類似性判断情報を格納する。そして、類似性判断部２０は、音声入力部１０に音声が入力されている間、類似性を判断すると共に類似性判断情報を情報格納部３０に格納し続ける。類似性判断部２０は、音声入力部１０への音声の入力が中断した場合、類似性の判断を中断する。続いて、音声入力部１０への音声の入力が再開した場合、類似性判断部２０は、情報格納部３０に格納されている類似性判断情報に基づいて、類似性の判断を再開することができる。
【００５２】
（送信部３２）
送信部３２は、出力部２８から受け取った判断結果情報を送信する。具体的に、送信部３２は、携帯電話網若しくはインターネット等の通信網６を介して判断結果情報をサーバー３に送信する。また、送信部３２は、出力部２８が取得した電波不受信情報、及び／又は音声信号不存在情報をサーバー３に送信することもできる。
【００５３】
（判断結果取得部３６）
判断結果取得部３６は、類似性判断部２０からの判断結果情報を取得する。判断結果取得部３６は、当該判断結果情報を送信した盗聴器検知装置２を一意に識別する検知装置識別子を、当該判断結果情報に対応づけることもできる。判断結果取得部３６は、取得した判断結果情報を検知装置識別子に対応づけて判断結果格納部３８に供給する。また、判断結果取得部３６は、電波不受信情報、及び音声信号不存在情報を取得することもできる。この場合、判断結果取得部３６は、電波不受信情報、及び音声信号不存在情報を判断結果格納部３８に供給することもできる。
【００５４】
（判断結果格納部３８）
判断結果格納部３８は、判断結果取得部３６から受け取った判断結果情報を検知装置識別子に対応づけて格納する。判断結果格納部３８は、検知装置識別子と検知装置識別子に対応づけられた判断結果情報とを通報部４０に供給する。また、判断結果格納部３８は、電波不受信情報、及び音声信号不存在情報を検知装置識別子に対応づけて格納することもできる。判断結果格納部３８は、時刻に対応づけて電波不受信情報、及び音声信号不存在情報を格納することもできる。
【００５５】
（通報部４０）
通報部４０は、判断結果情報が第１特徴信号と第２特徴信号とが類似することを示す場合、すなわち、検知領域８に盗聴器７が存在していることを示す場合、盗聴器７の存在を示す情報をユーザー端末に通報する。通報部４０は、通信網６を介してユーザー端末に実質的にリアルタイムで通報する。また、通報部４０は、盗聴器７の存在を示す情報を含むテキストデータ、音声データ、及び／又は画像データをユーザー端末に送信することで通報することもできる。更に、通報部４０は、判断結果格納部３８に格納されている判断結果情報を用いて、予め定められた時刻にユーザー端末に通報すること、若しくは判断結果取得部３６が判断結果情報を取得した時刻から予め定められた時間が経過した後にユーザー端末に通報することもできる。
【００５６】
検知装置識別子には、通報対象であるユーザー端末を一意に識別するユーザー端末識別子を対応づけることができる。検知装置識別子には、１つ若しくは複数のユーザー端末識別子を対応づけることができる。通報部４０は、判断結果格納部３８から受け取った検知装置識別子に対応づけられているユーザー端末識別子で識別されるユーザー端末に対して、盗聴器７の存在を示す情報を通報することができる。
【００５７】
なお、盗聴器検知装置２は、予め定められた出力パターンを有する音声を発生する音声発生部を更に有することもできる。この場合、盗聴器検知装置２は、当該音声を音声発生部から発生させ、当該音声を音声入力部１０に入力させる。そして、上記と同様にして盗聴器検知装置２は、第１特徴信号と第２特徴信号との類似性に基づいて、盗聴器７の存在を検知してもよい。
【００５８】
図４（ａ）から（ｃ）はそれぞれ、本発明の実施の形態に係る差分信号算出部において差分信号を算出する方法を模式的に示す。なお、図４（ａ）から（ｃ）では、予め定められた単位時間において差分信号算出部１８が差分信号を算出する方法を模式的に示すが、差分信号算出部１８は、継続的、若しくは断続的に差分信号を算出することができる。
【００５９】
差分信号算出部１８は、特徴信号抽出部１６から受け取った第１特徴信号と第２特徴信号との差分信号を偏差信号として算出する。例えば、図４（ａ）を参照する。図４（ａ）の上側のグラフでは、Ｘ軸が時間であり、Ｙ軸が音量レベルである。図４（ｂ）及び（ｃ）においても同様である。図４（ａ）では、第１特徴信号１６０と第２特徴信号１６２とは予め定められた時間内において略同一の音量レベルのプロファイルを有する。この場合、差分信号算出部１８が算出する差分信号１８０は、図４（ａ）の下段に示すように、予め定められた時間内において実質的に大きさがゼロの信号プロファイルを示す。
【００６０】
また、図４（ｂ）を参照する。この場合、第１特徴信号１６０と第２特徴信号１６４とは予め定められた時間内において、第１特徴信号１６０の方が第２特徴信号１６４よりも音量レベルが大きいプロファイルを有する。この場合、差分信号算出部１８が算出する差分信号１８２は、図４（ｂ）の下段に示すように、予め定められた時間内において少なくとも差分信号１８０よりも大きな信号プロファイルを示す。
【００６１】
更に、図４（ｃ）を参照する。この場合、第１特徴信号１６８と第２特徴信号１６６とは予め定められた時間内において、第１特徴信号１６８の方が第２特徴信号１６６よりも音量レベルが小さいプロファイルを有する。この場合、差分信号算出部１８が算出する差分信号１８４は、図４（ｃ）の下段に示すように、予め定められた時間内において負の信号プロファイルを示すこととなる。
【００６２】
差分信号算出部１８が算出した差分信号は、合算信号算出部２２において合算されて合算信号として算出される。この場合、合算信号算出部２２が合算に用いる差分信号に、正の差分信号と負の差分信号とが混在していると、正しい合算信号を算出できない場合がある。したがって、差分信号算出部１８は、算出した差分信号の符号を正に変換することにより絶対差分信号を算出することが好ましい。
【００６３】
図５は、本発明の実施の形態に係る合算信号算出部による合算信号の算出、及び平均合算信号算出部による平均合算信号の算出の方法を模式的に示す。
【００６４】
図５の例では、差分信号算出部１８が継続的に差分信号を算出する場合について説明する。図５では、横軸が時刻の経過を示しており、時刻ｔｎから時刻ｔｎ＋１までの時間（つまり、時刻ｔｎ＋１と時刻ｔｎとの差から算出される時間）はいずれも同一である（ただし、ｎは１以上の整数である。）。この場合、差分信号算出部１８は、予め定められた単位時間ごとに差分信号を算出する。例えば、予め定められた単位時間が時刻０から時刻ｔ３までの時間２００と同一の長さである場合、差分信号算出部１８は、時刻０から時刻ｔ３までの時間２００の間における第１特徴信号と第２特徴信号との差分信号を算出する。なお、予め定められた単位時間は、形態素の発音時間に応じて適宜変更できる。
【００６５】
続いて、差分信号算出部１８は、時刻ｔ１から時刻ｔ４までの時間２０２における差分信号を算出する。同様にして、差分信号算出部１８は、時間２０４、時間２０６、時間２０８、時間２１０、時間２１２、及び時間２１４における差分信号を、順次、算出する。そして、差分信号算出部１８は、算出した複数の差分信号のそれぞれの符号を正に変換して、絶対差分信号を算出する。
【００６６】
続いて、合算信号算出部２２は、複数の絶対差分信号を合算することで合算信号を算出する。合算信号算出部２２が合算する絶対差分信号の数は、算出処理に要する時間等に応じて適宜決定できる。一例として、合算信号算出部２２は、時間２００から時間２０４までの３つの絶対差分信号を合算して合算信号を算出する。同様にして、合算信号算出部２２は、一の時間を基準にした場合、当該一の時間の前後の時間を含む連続する３つの時間の絶対差分信号を合算することで複数の合算信号を算出する。そして、平均合算信号算出部２４は、合算信号の算出に用いた絶対差分信号の数で合算信号を除することで、平均合算信号として合算信号の移動平均を継続的に算出する。
【００６７】
（実施の形態の効果）
本実施の形態に係る盗聴器検知システム１は、盗聴器検知装置２の周囲に存在する音声、例えば、会話、音楽、雑音等を含む生活音を取得して当該生活音の第１特徴信号を抽出すると共に、予め定められた周波数帯域の電波に変調されている音声信号の第２特徴信号を抽出する。そして、盗聴器検知システム１は、第１特徴信号と第２特徴信号との差分信号に基づいて第１特徴信号と第２特徴信号とが類似するか否かを判断することにより、盗聴器７が検知領域８に設置されているか否かを判断する。したがって、盗聴器検知システム１によれば、盗聴器検知装置２の周辺に存在する音声を利用するだけで自動的に盗聴器７を発見することができるので、盗聴器７を検知することを目的として意図的に大音量の信号音を発することを要さない。これにより、盗聴器検知システム１によれば、盗聴器７の検知時において、ユーザーが信号音に耐えることや検知領域８から外に出ることを要さずに容易に盗聴器７の検知動作を自動的に実行できる。
【００６８】
また、本実施の形態に係る盗聴器検知装置２は、盗聴器検知装置２だけを単独で様々な場所に移動させることができる。これにより、盗聴器検知装置２によれば、移動中の自動車、公共交通機関等の車内空間、又は様々な施設内の様々な部屋においても盗聴器を検知することができる。
【００６９】
（盗聴器検知システム１の処理の流れの概要）
図６は、本発明の実施の形態に係る盗聴器検知システムの処理の流れの一例を示す。
【００７０】
まず、音声入力部１０は、周囲の音声を入力する（ステップ１０。以下、ステップを「Ｓ」と表す。）。音声入力部１０は、取得した音声を特徴信号抽出部１６に供給する。また、電波探索部１２は、予め定められた周波数帯域の電波を探索する（Ｓ１５）。信号取得部１４は、電波探索部１２が電波を検知した場合（Ｓ２０：Ｙｅｓ）、当該電波から音声信号を取得する（Ｓ２５）。一方、信号取得部１４は、電波探索部１２が電波を検知しなかった場合（Ｓ２０：Ｎｏ）、電波を検知しなかったことを示す情報を出力部２８に供給する。出力部２８は送信部３２に当該情報を供給する。送信部３２は、当該情報をサーバー３に送信する（Ｓ７５）。
【００７１】
次に、特徴信号抽出部１６は、音声入力部１０から受け取った音声から第１特徴信号を抽出すると共に、信号取得部１４から受け取った音声信号から第２特徴信号を抽出する（Ｓ３０）。特徴信号抽出部１６は、抽出した第１特徴信号、及び第２特徴信号を差分信号算出部１８に供給する。差分信号算出部１８は、第１特徴信号と第２特徴信号との差分信号を算出する（Ｓ３５）。更に、差分信号算出部１８は、算出した差分信号の符号を正に変換することで、差分信号を絶対差分信号に変換する（Ｓ４０）。差分信号算出部１８は、絶対差分信号を合算信号算出部２２に供給する。合算信号算出部２２は、絶対差分信号を用いて合算信号を算出する（Ｓ４５）。合算信号算出部２２は、算出した合算信号を類似性判断部２０に供給する。
【００７２】
類似性判断部２０は、合算信号に基づいて第１特徴信号と第２特徴信号とが類似しているか否かを判断する（Ｓ５０）。類似性判断部２０が、第１特徴信号と第２特徴信号とが類似する、若しくは同一であると判断した場合（Ｓ５０：Ｙｅｓ）、類似性判断部２０は、検知領域８に盗聴器７が存在すると判断する（Ｓ５５）。類似性判断部２０は、盗聴器７が存在していることを示す判断結果情報を出力部２８に供給する。出力部２８は、類似性判断部２０から受け取った判断結果情報を出力すると共に送信部３２に供給する（Ｓ６０）。送信部３２は、出力部２８から受け取った判断結果情報を、通信網６を介してサーバー３に送信する。
【００７３】
一方、類似性判断部２０が、第１特徴信号と第２特徴信号とが類似していないと判断した場合（Ｓ５０：Ｎｏ）、類似性判断部２０は、盗聴器７が存在していないことを示す情報を出力部２８に供給する。出力部２８は、盗聴器７が存在していないことを示す情報を送信部３２に供給し、送信部３２は当該情報をサーバー３に向けて送信する（Ｓ７５）。
【００７４】
判断結果取得部３６は、盗聴器検知装置２から判断結果情報を取得する（Ｓ６５）。判断結果取得部３６は、取得した判断結果情報を判断結果格納部３８に供給する。判断結果格納部３８は、判断結果情報を格納する。そして、通報部４０は、判断結果格納部３８に格納されている判断結果情報を用い、盗聴器７が存在していることを示す情報をユーザー端末に通報する（Ｓ７０）。
【００７５】
なお、差分信号算出部１８は、算出した差分信号、又は絶対差分信号を類似性判断部２０に供給することもできる。また、合算信号算出部２２は、算出した合算信号を平均合算信号算出部２４に供給することもできる。平均合算信号算出部２４は、複数の合算信号から平均合算信号としての合算信号の移動平均を算出する。そして、平均合算信号算出部２４は、算出した平均合算信号を類似性判断部２０に供給する。類似性判断部２０は、差分信号、絶対差分信号、又は平均合算信号（つまり、合算信号の移動平均）に基づいて類似性を判断することもできる。
【００７６】
図７は、本発明の実施の形態に係る盗聴器検知システムのハードウェア構成の一例を示す。
【００７７】
本発明の実施の形態に係る盗聴器検知システム１は、ＣＰＵ１５００と、グラフィックコントローラ１５２０と、ＲａｎｄｏｍＡｃｃｅｓｓＭｅｍｏｒｙ（ＲＡＭ）、Ｒｅａｄ−ＯｎｌｙＭｅｍｏｒｙ（ＲＯＭ）及び／又はフラッシュＲＯＭ等のメモリ１５３０と、データを記憶する記憶装置１５４０と、記録媒体からデータを読み込み及び／又は記録媒体にデータを書き込む読込み／書込み装置１５４５と、データを入力する入力装置１５６０と、外部の通信機器とデータを送受信する通信インターフェース１５５０と、ＣＰＵ１５００とグラフィックコントローラ１５２０とメモリ１５３０と記憶装置１５４０と読込み／書込み装置１５４５と入力装置１５６０と通信インターフェース１５５０とを互いに通信可能に接続するチップセット１５１０とを備える。なお、ＣＰＵ１５００等の構成要素は、１つ以上のＣＰＵ等であって、複数のＣＰＵ等を含んで構成することもできる。
【００７８】
チップセット１５１０は、メモリ１５３０と、メモリ１５３０にアクセスして所定の処理を実行するＣＰＵ１５００と、外部の表示装置の表示を制御するグラフィックコントローラ１５２０とを相互に接続することにより、各構成要素間のデータの受渡しを実行する。ＣＰＵ１５００は、メモリ１５３０に格納されたプログラムに基づいて動作して、各構成要素を制御する。グラフィックコントローラ１５２０は、メモリ１５３０内に設けられたバッファ上に一時的に蓄えられた画像データに基づいて、画像を所定の表示装置に表示させる。
【００７９】
また、チップセット１５１０は、記憶装置１５４０と、読込み／書込み装置１５４５と、通信インターフェース１５５０とを接続する。記憶装置１５４０は、盗聴器検知システムのＣＰＵ１５００が使用するプログラムとデータとを格納する。記憶装置１５４０は、例えば、フラッシュメモリである。読込み／書込み装置１５４５は、プログラム及び／又はデータを記憶している記憶媒体からプログラム及び／又はデータを読み取って、読み取ったプログラム及び／又はデータを記憶装置１５４０に格納する。読込み／書込み装置１５４５は、例えば、通信インターフェース１５５０を介し、インターネット上のサーバーから所定のプログラムを取得して、取得したプログラムを記憶装置１５４０に格納する。
【００８０】
通信インターフェース１５５０は、通信ネットワークを介して外部の装置とデータの送受信を実行する。また、通信インターフェース１５５０は、通信ネットワークが不通の場合、通信ネットワークを介さずに外部の装置とデータの送受信を実行することもできる。そして、タブレット、マイク等の入力装置１５６０は、所定のインターフェースを介してチップセット１５１０と接続する。
【００８１】
記憶装置１５４０に格納される盗聴器検知プログラムは、インターネット等の通信ネットワーク、又は磁気記録媒体、光学記録媒体等の記録媒体を介して記憶装置１５４０に提供される。そして、記憶装置１５４０に格納された盗聴器検知プログラムは、ＣＰＵ１５００により実行される。
【００８２】
盗聴器検知システム１により実行される盗聴器検知プログラムは、ＣＰＵ１５００に働きかけて、盗聴器検知システム１を、図１から図６にかけて説明した音声入力部１０、電波探索部１２、信号取得部１４、特徴信号抽出部１６、差分信号算出部１８、類似性判断部２０、合算信号算出部２２、平均合算信号算出部２４、継続性判断部２６、出力部２８、情報格納部３０、送信部３２、判断結果取得部３６、判断結果格納部３８、及び通報部４０として機能させる。
【００８３】
以上、本発明の実施の形態を説明したが、上記に記載した実施の形態は特許請求の範囲に係る発明を限定するものではない。また、実施の形態の中で説明した特徴の組合せのすべてが発明の課題を解決するための手段に必須であるとは限らない点に留意すべきである。更に、上記した実施形態の技術的要素は、単独で適用されてもよいし、プログラム部品とハードウェア部品とのような複数の部分に分割されて適用されるようにすることもできる。
【符号の説明】
【００８４】
１  盗聴器検知システム
２  盗聴器検知装置
３  サーバー
４、５  ユーザー端末
６  通信網
７  盗聴器
８  検知領域
１０  音声入力部
１２  電波探索部
１４  信号取得部
１６  特徴信号抽出部
１８  差分信号算出部
２０  類似性判断部
２２  合算信号算出部
２４  平均合算信号算出部
２６  継続性判断部
２８  出力部
３０  情報格納部
３２  送信部
３６  判断結果取得部
３８  判断結果格納部
４０  通報部
１６０、１６８  第１特徴信号
１６２、１６４、１６６  第２特徴信号
１８０、１８２、１８４  差分信号
２００、２０２、２０４、２０６  時間
２０８、２１０、２１２、２１４  時間
９００  電波
１５００  ＣＰＵ
１５１０  チップセット
１５２０  グラフィックコントローラ
１５３０  メモリ
１５４０  記憶装置
１５４５  読込み／書込み装置
１５５０  通信インターフェース
１５６０  入力装置
【要約】
【課題】周辺に存在する音声を利用することで容易に自動的に盗聴器を発見することができる盗聴器検知装置、盗聴器検知システム、盗聴器検知方法、及び盗聴器検知プログラムを提供する。
【解決手段】盗聴器検知装置２は、音声が入力される音声入力部１０と、電波を探索する電波探索部１２と、電波探索部１２が受信した電波から音声信号を取得する信号取得部１４と、音声入力部１０に入力された音声の特徴を示す第１特徴信号と、信号取得部１２が取得した音声信号から当該音声信号により示される音声の特徴を示す第２特徴信号とを抽出する特徴信号抽出部１６と、第１特徴信号と第２特徴信号との差分信号を算出する差分信号算出部１８と、差分信号に基づいて、第１特徴信号と第２特徴信号との類似性を判断する類似性判断部２０とを備える。
【選択図】図１【図１】
0005435761.tif 000002
【図２】
0005435761.tif 000003
【図３】
0005435761.tif 000004
【図４】
0005435761.tif 000005
【図５】
0005435761.tif 000006
【図６】
0005435761.tif 000007
【図７】
0005435761.tif 000008